(57)【要約】【目的】負、正２枚のレンズからなるサイズ変換用アダプタにより、１／３インチ型撮像デバイスを備えたカメラに用いるレンズを、１／２インチ型撮像デバイスを備えたカメラ用として使用する。【構成】サイズ変換アダプタ２は、物体側から順に、負レンズ２１、正レンズＬ２２を配設し、条件式（１）を満足する。レンズ本体１の像側に、サイズ変換アダプタ２を着脱可能あるいは一体に配設し、条件式（２）を満足させてカメラ用レンズとする。サイズ変換アダプタ２およびカメラ本体３を、互いに着脱可能あるいは一体に構成してもよい。（１）０．３＜｜Ｆ１／Ｆ２｜＜１。（２）０．０１＜Ｌ／Ｂｆ＜１。ただし、Ｆ１：負レンズの焦点距離、Ｆ２：正レンズの焦点距離。Ｌ：レンズ本体の像側面頂点からサイズ変換アダプタの物体側面頂点までの空気間隔。Ｂｆ：レンズ本体とサイズ変換アダプタの合成バックフォーカス【選択図】          図５
2004287150.tif 000002
【特許請求の範囲】
【請求項１】
物体側から順に、負の屈折力を有するレンズと、正の屈折力を有するレンズとを配設してなり、下記条件式（１）を満足することを特徴とするサイズ変換アダプタ。
０．３  ＜  ｜Ｆ１／Ｆ２｜  ＜  １  ・・・（１）
ただし、
Ｆ１：負の屈折力を有するレンズの焦点距離
Ｆ２：正の屈折力を有するレンズの焦点距離
【請求項２】
レンズ本体の像側に、請求項１記載のサイズ変換アダプタを該レンズ本体と一体に配設してなり、下記条件式（２）を満足することを特徴とするカメラ用レンズ。
０．０１  ＜  Ｌ／Ｂｆ  ＜  １  ・・・（２）
ただし、
Ｌ：レンズ本体の像側面面頂点からサイズ変換アダプタの物体側面面頂点までの空気間隔
Ｂｆ：レンズ本体とサイズ変換アダプタの合成バックフォーカス
【請求項３】
レンズ本体の像側に、請求項１記載のサイズ変換アダプタを着脱可能に配設してなり、下記条件式（２）を満足することを特徴とするカメラ用レンズ。
０．０１  ＜  Ｌ／Ｂｆ  ＜  １  ・・・（２）
ただし、
Ｌ：レンズ本体の像側面面頂点からサイズ変換アダプタの物体側面面頂点までの空気間隔
Ｂｆ：レンズ本体とサイズ変換アダプタの合成バックフォーカス
【請求項４】
請求項１記載のサイズ変換アダプタを一体に備えてなることを特徴とするカメラ本体。
【請求項５】
請求項１記載のサイズ変換アダプタを着脱可能に備えてなることを特徴とするカメラ本体。
【請求項６】
物体側から順に、レンズ本体と、請求項１記載のサイズ変換アダプタと、カメラ本体とを互いに着脱可能に配設してなり、
下記条件式（２）を満足することを特徴とするカメラ。
０．０１  ＜  Ｌ／Ｂｆ  ＜  １  ・・・（２）
ただし、
Ｌ：レンズ本体の像側面面頂点からサイズ変換アダプタの物体側面面頂点までの空気間隔
Ｂｆ：レンズ本体とサイズ変換アダプタの合成バックフォーカス
【請求項７】
物体側から順に、レンズ本体と、請求項１記載のサイズ変換アダプタと、カメラ本体とを一体に配設してなり、
下記条件式（２）を満足することを特徴とするカメラ。
０．０１  ＜  Ｌ／Ｂｆ  ＜  １  ・・・（２）
ただし、
Ｌ：レンズ本体の像側面面頂点からサイズ変換アダプタの物体側面面頂点までの空気間隔
Ｂｆ：レンズ本体とサイズ変換アダプタの合成バックフォーカス
【請求項８】
請求項２記載のカメラ用レンズと、カメラ本体とを互いに着脱可能に構成してなることを特徴とするカメラ。
【請求項９】
レンズ本体と、請求項４記載のカメラ本体とを互いに着脱可能に構成してなり、
下記条件式（２）を満足することを特徴とするカメラ。
０．０１  ＜  Ｌ／Ｂｆ  ＜  １  ・・・（２）
ただし、
Ｌ：レンズ本体の像側面面頂点からサイズ変換アダプタの物体側面面頂点までの空気間隔
Ｂｆ：レンズ本体とサイズ変換アダプタの合成バックフォーカス
【発明の詳細な説明】
【０００１】
【発明の属する技術分野】
本発明は、サイズ変換アダプタに関し、特に、１／２インチ型の撮像デバイスを備えた監視用カメラ、ビデオカメラ等に好適に用いられるサイズ変換アダプタに関する。
【０００２】
また、本発明は、該サイズ変換アダプタを用いたカメラ用レンズおよびカメラ本体、並びに該サイズ変換アダプタ、該カメラ用レンズおよび該カメラ本体からなるカメラに関する。
【０００３】
【従来の技術】
近年の監視カメラあるいはビデオカメラは、小型化およびローコスト化の要請により、１／３インチ型あるいは１／４インチ型の撮像デバイスを備えたものが主流となっており、カメラ用レンズもこのような撮像デバイスに適応させたものが主流となっている。
【０００４】
従来の１／３インチ型あるいは１／４インチ型の撮像デバイスを備えたビデオカメラに適応させたレンズとして、２群ズームレンズの像側にエクステンダを着脱して焦点距離を変化させるようにした広角非球面ズームレンズが開示されている（特許文献１参照）。
【０００５】
【特許文献１】
特開平７−２８１０９４号公報
【０００６】
【発明が解決しようとする課題】
しかしながら、上述したように小型化およびローコスト化という要請がある反面、高感度かつ高解像度を有する１／２インチ型の撮像デバイスを備えたカメラも存在する。このような１／２インチ型の撮像デバイスを備えたカメラと、１／３インチ型あるいは１／４インチ型の撮像デバイスを備えたカメラとではイメージサークルの大きさが異なるため、市場で主流となっている上記カメラ用レンズをそのまま１／２インチ型の撮像デバイスを備えたカメラに使用することはできない。
このため、１／２インチ型の撮像デバイスを備えたカメラを使用する場合には、１／２インチ型の撮像デバイスに適応したカメラ用レンズを別途用意しなければならなかった。
【０００７】
本発明は、上述した事情に鑑み提案されたもので、市場で主流となっている１／３インチ型あるいは１／４インチ型等の撮像デバイスを備えたカメラに使用するレンズを、１／２インチ型等の撮像デバイスを備えたカメラに使用することが可能なサイズ変換アダプタを提供することを目的とする。
【０００８】
また、本発明は、上記目的を達成し得るサイズ変換アダプタを用いたカメラ用レンズおよびカメラ本体、並びに該サイズ変換アダプタ、該カメラ用レンズおよび該カメラ本体からなるカメラを提供することを目的とする。
【０００９】
【課題を解決するための手段】
本発明に係るサイズ変換アダプタ、該サイズ変換アダプタを用いたカメラ用レンズおよびカメラ本体、並びに該サイズ変換アダプタ、該カメラ用レンズおよび該カメラ本体からなるカメラは、上述した目的を達成するため、以下の特徴点を備えている。
【００１０】
すなわち、本発明に係るサイズ変換アダプタは、物体側から順に、負の屈折力を有するレンズと、正の屈折力を有するレンズとを配設してなり、下記条件式（１）を満足することを特徴とするものである。
０．３  ＜  ｜Ｆ１／Ｆ２｜  ＜  １  ・・・（１）
ただし、
Ｆ１：負の屈折力を有するレンズの焦点距離
Ｆ２：正の屈折力を有するレンズの焦点距離
【００１１】
また、本発明に係るカメラ用レンズは、レンズ本体の像側に、前記サイズ変換アダプタを該レンズ本体と一体に配設してなり、下記条件式（２）を満足することを特徴とするものである。
０．０１  ＜  Ｌ／Ｂｆ  ＜  １  ・・・（２）
ただし、
Ｌ：レンズ本体の像側面面頂点からサイズ変換アダプタの物体側面面頂点までの空気間隔
Ｂｆ：レンズ本体とサイズ変換アダプタの合成バックフォーカス
【００１２】
また、本発明に係るカメラ用レンズは、レンズ本体の像側に、前記サイズ変換アダプタを着脱可能に配設してなり、上記条件式（２）を満足することを特徴とするものである。
【００１３】
また、本発明に係るカメラ本体は、前記サイズ変換アダプタを一体に備えてなることを特徴とするものである。
【００１４】
また、本発明に係るカメラ本体は、前記サイズ変換アダプタを着脱可能に備えてなることを特徴とするものである。
【００１５】
また、本発明に係るカメラは、物体側から順に、レンズ本体と、前記サイズ変換アダプタと、カメラ本体とを互いに着脱可能に配設してなり、
上記条件式（２）を満足することを特徴とするものである。
【００１６】
また、本発明に係るカメラは、物体側から順に、レンズ本体と、前記サイズ変換アダプタと、カメラ本体とを一体に配設してなり、
上記条件式（２）を満足することを特徴とするものである。
【００１７】
また、本発明に係るカメラは、レンズ本体および前記サイズ変換アダプタを一体に備えてなるカメラ用レンズと、カメラ本体とを互いに着脱可能に構成してなり、
上記条件式（２）を満足することを特徴とするものである。
【００１８】
また、本発明に係るカメラは、レンズ本体と、前記サイズ変換アダプと一体に構成されたカメラ本体とを互いに着脱可能に構成してなり、
上記条件式（２）を満足することを特徴とするものである。
【００１９】
また、本発明に係るカメラは、レンズ本体と、前記サイズ変換アダプと、カメラ本体とを一体に構成してなり、
上記条件式（２）を満足することを特徴とするものである。
【００２０】
なお、上記特許文献１に記載された広角非球面ズームレンズは、カメラ用レンズの像側にエクステンダ（本発明におけるサイズ変換アダプタに相当する）を着脱するという点で本発明の構成と一部類似するが、上記特許文献１に記載されたエクステンダは、焦点距離を望遠側へ延ばすことを目的とするものであり、本発明のサイズ変換アダプタは、イメージサークルの大きさを変換することを目的とするものであり、両者の目的および作用効果は明らかに相違する。
【００２１】
【発明の実施の形態】
以下、本発明に係るサイズ変換アダプタ、該サイズ変換アダプタを用いたカメラ用レンズおよびカメラ本体、並びに該サイズ変換アダプタ、該カメラ用レンズおよび該カメラ本体からなるカメラの一実施形態について、図面を参照しつつ説明する。
【００２２】
図３〜図５は、本発明の実施形態に係るサイズ変換アダプタを用いたカメラの概略構成図である。なお、このカメラは、監視用カメラあるいはビデオカメラとして好適に使用されるものである。
【００２３】
本実施形態に係るサイズ変換アダプタ２は、図３に示すように、カメラ本体３と一体に構成してもよいし、図４に示すように、レンズ本体１と一体に構成してもよいし、図５に示すように、カメラ本体１およびレンズ本体３とは別体として構成してもよい。
【００２４】
なお、各図において、カメラ本体３は、１／２インチ型の撮像素子３１を備えている。また、レンズ本体１は、それ自体では１／３インチ型の撮像素子３１に適応した大きさのイメージサークルを創出するものであり、負の屈折力を有する第１レンズ群１１および正の屈折力を有する第２レンズ群１２からなる２群構成のズームレンズとなっており、第１レンズ群１１と第２レンズ群１２の間に絞り１３が配設されている。
【００２５】
また、サイズ変換アダプタ２は、物体側から順に、負の屈折力を有するレンズ２１と正の屈折力を有するレンズ２２とを配設して構成されており、１／３インチサイズの撮像素子３１に適応したレンズ本体１と組み合わせることにより、イメージサークルを約１．３３倍に拡大するようになっている。
【００２６】
図３に示す例は、カメラ本体３にサイズ変換アダプタ２を一体に組み込み、サイズ変換アダプタ２と一体となったカメラ本体３にレンズ本体１を着脱可能としたものである。これにより、１／２インチ型の撮像素子３１を備えたカメラ本体３に対して、市場で主流となっている１／３インチ型の撮像素子に適応したレンズ本体１を使用することができる。
【００２７】
図４に示す例は、レンズ本体１にサイズ変換アダプタ２を一体に組み込み、サイズ変換アダプタ２と一体となったレンズ本体１をカメラ本体３に着脱可能としたものである。これにより、１／２インチ型の撮像素子３１を備えたカメラ本体３に対して、市場で主流となっている１／３インチ型の撮像素子に適応したレンズ本体１を使用することができる。
【００２８】
図５に示す例は、レンズ本体１、サイズ変換アダプタ２、およびカメラ本体３を別体としたものであり、レンズ本体１、サイズ変換アダプタ２、およびカメラ本体３は互いに着脱可能となっている。これにより、１／２インチ型の撮像素子３１を備えたカメラ本体３に対して、サイズ変換アダプタ２を介して、市場で主流となっている１／３インチ型の撮像素子に適応したレンズ本体１を使用することができる。
【００２９】
ここで、サイズ変換アダプタ２、およびこのサイズ変換アダプタ２とレンズ本体１とからなるカメラ用レンズは、以下の条件式（１）、（２）を満足する。なお、以下の各条件式において、負の屈折力を有するレンズおよび正の屈折力を有するレンズとは、サイズ変換アダプタ２を構成する負の屈折力を有するレンズ２１および正の屈折力を有するレンズ２２を意味する。
【００３０】
０．３  ＜  ｜Ｆ１／Ｆ２｜  ＜  １  ・・・（１）
０．０１  ＜  Ｌ／Ｂｆ  ＜  １      ・・・（２）
ただし、
Ｆ１：負の屈折力を有するレンズの焦点距離
Ｆ２：正の屈折力を有するレンズの焦点距離
Ｌ：レンズ本体の像側面面頂点からサイズ変換アダプタの物体側面面頂点までの空気間隔
Ｂｆ：レンズ本体とサイズ変換アダプタの合成バックフォーカス
【００３１】
さらに、サイズ変換アダプタ２、およびこのサイズ変換アダプタ２とレンズ本体１とからなるカメラ用レンズは、上記条件式（１）に代えて下記条件式（３）を満足することが好ましく、上記条件式（２）に代えて下記条件式（４）を満足することが好ましい。
【００３２】
０．４  ＜  ｜Ｆ１／Ｆ２｜  ＜  ０．９  ・・・（３）
０．０１  ＜  Ｌ／Ｂｆ  ＜  ０．５      ・・・（４）
ただし、
Ｆ１：負の屈折力を有するレンズの焦点距離
Ｆ２：正の屈折力を有するレンズの焦点距離
Ｌ：レンズ本体の像側面面頂点からサイズ変換アダプタの物体側面面頂点までの空気間隔
Ｂｆ：レンズ本体とサイズ変換アダプタの合成バックフォーカス
【００３３】
次に、上記各条件式の意義について説明する。
上記条件式（１）および（３）は、サイズ変換アダプタ２を構成する負の屈折力を有するレンズ２１の焦点距離Ｆ１と正の屈折力を有するレンズ２２の焦点距離Ｆ２の比の絶対値｜Ｆ１／Ｆ２｜を規定することにより、サイズ変換アダプタ２におけるパワーを適切に配分するための条件式である。
【００３４】
上記条件式（１）において、｜Ｆ１／Ｆ２｜の値が上限を上回ると、正の屈折力を有するレンズ２２のパワーが強くなり過ぎて適切な収差補正を行うことが困難となるとともに、サイズ変換アダプタ２の光軸方向の長さが大きくなってしまい、小型化という要請に反してしまう。一方、上記条件式（１）において、｜Ｆ１／Ｆ２｜の値が下限を下回ると、所定の拡大倍率を得ることができなくなる。
【００３５】
さらに、上記条件式（３）を満足することにより、光学性能を維持しつつ、よりコンパクトなサイズ変換アダプタ２とすることができる。
【００３６】
上記条件式（２）および（４）は、レンズ本体１の像側面面頂点からサイズ変換アダプタ２の物体側面面頂点までの空気間隔Ｌと、レンズ本体１およびサイズ変換アダプタ２の合成バックフォーカスＢｆの比Ｌ／Ｂｆを規定することにより、レンズ本体１とサイズ変換アダプタ２との組み合わせ、およびカメラ本体３に対するレンズ本体１およびサイズ変換アダプタ２の取り付けを適切に行うための条件式である。
【００３７】
上記条件式（２）において、Ｌ／Ｂｆの値が上限を上回ると、レンズ本体１とサイズ変換アダプタ２の合成バックフォーカスＢｆが短くなりすぎて、カメラ本体３に対してレンズ本体１およびサイズ変換アダプタ２を取り付けることができなくなる。一方、Ｌ／Ｂｆの値が下限を下回ると、レンズ本体１とサイズ交換アダプタ２の空気間隔が小さくなり、レンズ本体１とサイズ交換アダプタ２とが干渉して両者を組み合わせることができなくなる。
【００３８】
さらに、上記条件式（４）を満足することにより、レンズ本体１とサイズ変換アダプタ２との組み合わせ、およびカメラ本体１に対するレンズ本体１およびサイズ変換アダプタ２の取り付けをさらに適切かつ容易に行うことができる。
【００３９】
なお、サイズ変換アダプタ２の拡大倍率を適宜変更することにより、１／２インチ型の撮像素子３１を備えたカメラ本体３に対して、他の大きさ（例えば１／４インチ型）の撮像素子に適応したレンズ本体を使用することもできる。
【００４０】
次に、具体的な実施例を示して、本実施形態に係るサイズ変換アダプタ２およびレンズ本体１からなるカメラ用レンズをさらに詳細に説明する。
【００４１】
＜実施例１＞
図１は、実施例１に係るカメラ用レンズのレンズ構成図である。なお、図１に示す第１レンズ群Ｇ１、第２レンズ群Ｇ２、サイズ変換アダプタＧ３、絞り４、第９レンズＬ９、および第１０レンズＬ１０は、それぞれ図３〜図５に示す第１レンズ群１１、第２レンズ群１２、サイズ変換アダプタ２、絞り１３、負の屈折力を有するレンズ２１、および正の屈折力を有するレンズ２２に相当する。
【００４２】
実施例１に係るカメラ用レンズは、図１に示すように、物体側から順に、第１レンズ群Ｇ１、絞り４、第２レンズ群Ｇ２、およびサイズ変換アダプタＧ３を配設してなり、第１レンズ群Ｇ１と第２レンズ群Ｇ２の空気間隔を相対的に変化させるとともに、第２レンズ群Ｇ２とサイズ変換アダプタＧ３の空気間隔を相対的に変化させることにより、全系の焦点距離を変化させるとともに結像位置の変動を補正する。
【００４３】
上記第１レンズ群Ｇ１は、物体側から順に、像側に凹面を向けた負のメニスカスレンズからなる第１レンズＬ１、像側に凹面を向けた負のメニスカスレンズからなる第２レンズＬ２、両凹の第３レンズＬ３、および物体側に凸面を向けた正のメニスカスレンズからなる第４レンズＬ４を配設してなる。
【００４４】
上記第２レンズ群Ｇ２は、物体側から順に、両凸の第５レンズＬ５、像側に凹面を向けた負のメニスカスレンズからなる第６レンズＬ６、両凸の第７レンズＬ７、および像側に凹面を向けた負のメニスカスレンズからなる第８レンズＬ８を配設してなり、第６レンズＬ６と第７レンズＬ７は互いに接合された接合レンズとなっている。なお、第５レンズＬ５の両面は、下記非球面式で表される非球面とされている。
【００４５】
【数１】
2004287150.tif 000003
【００４６】
上記サイズ変換アダプタＧ３は、物体側から順に、両凹の第９レンズＬ９、および両凸の第１０レンズＬ１０を配設してなる。
【００４７】
また、サイズ変換アダプタＧ３の後段にフィルタ（ＩＲカットフィルタおよびローパスフィルタ等からなる）５が配設されており、物体側から光軸Ｘに沿って入射した光束は、フィルタ５を通過した後、固体撮像素子（図示せず）の結像面上の結像位置に結像される。
【００４８】
上述した実施例１に係るカメラ用レンズの各レンズ面の曲率半径Ｒ（ｍｍ）、各レンズの中心厚および各レンズ間の空気間隔（以下、これらを総称して軸上面間隔という）Ｄ（ｍｍ）、各レンズのｄ線における屈折率Ｎおよびアッベ数νの値を表１上段に示す。また、＊を付した面は非球面とされている（表３において同じ）。なお、表１、および下記表２〜表４中の数字は物体側からの順番を表すものである。
【００４９】
また、表１中段に、広角端、中間位置、および望遠端の各位置における、焦点距離ｆ（ｍｍ）、Ｆｎｏ．、画角２ω、および軸上面間隔Ｄの欄におけるＤ８、Ｄ９、Ｄ１６の値を示す。
【００５０】
さらに、表１下段に、上記条件式（１）および（３）と、条件式（２）および（４）に対応する値を示す。表１から明らかなように、本実施例は上記条件式（３）および条件式（４）を満足する。したがって、本実施例は、より緩やかな条件を規定した上記条件式（１）および条件式（２）も満足する。
【００５１】
【表１】
2004287150.tif 000004
【００５２】
下記表２に、本実施例の各非球面に関する各定数Ｋ、Ａ４、Ａ６、Ａ８、Ａ１０の値を示す。
【００５３】
【表２】
2004287150.tif 000005
【００５４】
なお、上述したように、本実施例のサイズ変換アダプタは、レンズ本体に着脱可能に構成してもよいし、レンズ本体と一体に構成してもよいし、カメラ本体に着脱可能に構成してもよいし、カメラ本体と一体に構成してもよいし、レンズ本体およびカメラ本体と一体に構成してもよい。
【００５５】
＜実施例２＞
図２は、実施例２に係るカメラ用レンズのレンズ構成図である。なお、図２に示す第１レンズ群Ｇ１、第２レンズ群Ｇ２、およびサイズ変換アダプタＧ３、絞り４、第８レンズＬ８、および第９レンズＬ９は、それぞれ図３〜図５に示す第１レンズ群１１、第２レンズ群１２、サイズ変換アダプタ２、絞り１３、負の屈折力を有するレンズ２１、および正の屈折力を有するレンズ２２に相当する。
【００５６】
実施例２に係るカメラ用レンズは、図２に示すように、物体側から順に、第１レンズ群Ｇ１、絞り４、第２レンズ群Ｇ２、およびサイズ変換アダプタＧ３を配設してなり、第１レンズ群Ｇ１と第２レンズ群Ｇ２の空気間隔を相対的に変化させるとともに、第２レンズ群Ｇ２とサイズ変換アダプタＧ３の空気間隔を相対的に変化させることにより、全系の焦点距離を変化させるとともに結像位置の変動を補正する。
【００５７】
上記第１レンズ群Ｇ１は、物体側から順に、像側に凹面を向けた負のメニスカスレンズからなる第１レンズＬ１、両凹の第２レンズＬ２、および物体側に凸面を向けた平凸の第３レンズＬ３を配設してなる。
【００５８】
上記第２レンズ群Ｇ２は、物体側から順に、物体側に凸面を向けた平凸の第４レンズＬ４、両凸の第５レンズＬ５、両凹の第６レンズＬ６、および両凸の第７レンズＬ７を配設してなる。なお、第５レンズＬ５の両面は、上記非球面式で表される非球面とされている。
【００５９】
上記サイズ変換アダプタＧ３は、物体側から順に、両凹の第８レンズＬ８、および両凸の第９レンズＬ９を配設してなる。
【００６０】
また、サイズ変換アダプタＧ３の後段にフィルタ（ＩＲカットフィルタおよびローパスフィルタ等からなる）５が配設されており、物体側から光軸Ｘに沿って入射した光束は、フィルタ５を通過した後、固体撮像素子（図示せず）の結像面上の結像位置に結像される。
【００６１】
上述した実施例２に係るカメラ用レンズの各レンズ面の曲率半径Ｒ（ｍｍ）、各レンズの中心厚および各レンズ間の軸上面間隔Ｄ（ｍｍ）、各レンズのｄ線における屈折率Ｎおよびアッベ数νの値を表３上段に示す。
【００６２】
また、表３中段に、広角端、中間位置、および望遠端の各位置における、焦点距離（ｆｍｍ）、Ｆｎｏ．、画角２ω、および軸上面間隔Ｄの欄におけるＤ６、Ｄ７、Ｄ１５の値を示す。
【００６３】
さらに、表３下段に、上記条件式（１）および（３）と、条件式（２）および（４）に対応する値を示す。表３から明らかなように、本実施例は上記条件式（３）および条件式（４）を満足する。したがって、本実施例は、より緩やかな条件を規定した上記条件式（１）および条件式（２）も満足する。
【００６４】
【表３】
2004287150.tif 000006
【００６５】
下記表４に、本実施例の各非球面に関する各定数Ｋ、Ａ４、Ａ６、Ａ８、Ａ１０の値を示す。
【００６６】
【表４】
2004287150.tif 000007
【００６７】
なお、上述したように、本実施例のサイズ変換アダプタは、レンズ本体に着脱可能に構成してもよいし、レンズ本体と一体に構成してもよいし、カメラ本体に着脱可能に構成してもよいし、カメラ本体と一体に構成してもよいし、レンズ本体およびカメラ本体と一体に構成してもよい。
【００６８】
図６は、上記実施例１に係るズームレンズの広角端、中間位置、および望遠端における諸収差（球面収差、非点収差、ディストーション）を示す収差図であり、図７は、上記実施例２に係るズームレンズの広角端、中間位置、および望遠端における諸収差（球面収差、非点収差、ディストーション）を示す収差図である。なお、各球面収差図には、ｄ線および８８０ｎｍに対する収差が示されており、各非点収差図には、サジタル像面およびタンジェンシャル像面に対する収差が示されている。
【００６９】
これらの収差図から明らかなように、上述した各実施例に係るカメラ用レンズによれば、各収差を良好に補正することができる。
【００７０】
また、本発明のサイズ変換アダプタを用いたカメラ用レンズとしては上記実施例のものに限られるものではなく、例えば各レンズ群を構成するレンズの形状や枚数は適宜選択し得る。
【００７１】
【発明の効果】
以上説明したように、本発明のサイズ変換アダプタ、レンズ本体、カメラ本体、およびカメラによれば、市場で主流となっている１／３インチ型あるいは１／４インチ型の撮像デバイスを備えたカメラに使用するレンズを、１／２インチ型の撮像デバイスを備えたカメラに使用することができる。
【図面の簡単な説明】
【図１】本発明の実施例１に係るカメラ用レンズのレンズ構成図
【図２】本発明の実施例２に係るカメラ用レンズのレンズ構成図
【図３】本発明の実施形態に係るサイズ変換アダプタを用いたカメラの概略構成図
【図４】本発明の実施形態に係るサイズ変換アダプタを用いたカメラの概略構成図
【図５】本発明の実施形態に係るサイズ変換アダプタを用いたカメラの概略構成図
【図６】実施例１に係るカメラ用レンズの広角端、中間位置、および望遠端における収差図（球面収差、非点収差、ディストーション）
【図７】実施例２係るカメラ用レンズの広角端、中間位置、および望遠端における収差図（球面収差、非点収差、ディストーション）
【符号の説明】
Ｇ１〜Ｇ２    レンズ群
Ｇ３          サイズ変換アダプタ
Ｌ１〜Ｌ１０    レンズ
Ｒ１〜Ｒ２２    レンズ面の曲率半径（フィルタ面を含む）
Ｄ１〜Ｄ２１    軸上面間隔
Ｘ            光軸
１            レンズ本体
１１          第１レンズ群
１２          第２レンズ群
１３          絞り
２            サイズ変換アダプタ
２１          負の屈折力を有するレンズ
２２          正の屈折力を有するレンズ
３            カメラ本体
３１          撮像素子
４            絞り
５            フィルタ
【図１】
2004287150.tif 000008
【図２】
2004287150.tif 000009
【図３】
2004287150.tif 000010
【図４】
2004287150.tif 000011
【図５】
2004287150.tif 000012
【図６】
2004287150.tif 000013
【図７】
2004287150.tif 000014